(57)【要約】  電子機器（７ａ）は、カメラ（３００）と、筐体に加わる加速度を検出する加速度センサ（５０）と、加速度センサ（５０）の検出値に基づいて筐体の姿勢を判定する姿勢判定部（２７０）と、筐体の姿勢が起きた姿勢になったと姿勢判定部（２７０）が判定した場合に、カメラ（３００）を起動させる起動制御部（２８０）とを備える。
2013022073.tif 000002
【特許請求の範囲】
【請求項１】
筐体と、
カメラと、
前記筐体に加わる加速度を検出する加速度センサと、
前記加速度センサの検出値に基づいて筐体の姿勢を判定する姿勢判定部と、
前記筐体の姿勢が起きた姿勢になったと前記姿勢判定部が判定した場合に、前記カメラを起動させる起動制御部と、
ユーザによる筐体の把持態様を認識する把持態様認識部と
を備え、
前記起動制御部は、
前記筐体の姿勢が前記起きた姿勢になったと前記姿勢判定部が判定した場合であって、かつ、前記ユーザによる前記筐体の把持態様が前記カメラのレンズを覆う把持態様でないと前記把持態様認識部が認識した場合に、前記カメラを起動させる電子機器。
【請求項２】
請求項１に記載の電子機器において、
照度センサを更に備え、
前記把持態様認識部は、
前記照度センサから出力された検出値に基づいて、前記ユーザによる前記筐体の把持態様が前記カメラの前記レンズを覆う把持態様であるか否かを認識する電子機器。
【請求項３】
請求項１に記載の電子機器において、
前記ユーザのタッチを検出するタッチパネルを更に備え、
前記把持態様認識部は、
前記タッチの位置に基づいて、前記ユーザによる前記筐体の把持態様が前記カメラの前記レンズを覆う把持態様であるか否かを認識する電子機器。
【請求項４】
請求項１に記載の電子機器において、
前記筐体の側面部のタッチを認識するタッチセンサを更に備え、
前記把持態様認識部は、
前記側面部の前記タッチの位置に基づいて、前記ユーザによる前記筐体の把持態様が前記カメラの前記レンズを覆う把持態様であるか否かを認識する電子機器。
【請求項５】
請求項１に記載の電子機器において、
前記起動制御部は、
前記筐体の姿勢が前記起きた姿勢になったと前記姿勢判定部が判定した場合に、前記カメラを一時的に起動し、
前記把持態様認識部は、
一時的に起動している前記カメラによる撮像画像に基づいて、前記ユーザによる前記筐体の把持態様が前記カメラの前記レンズを覆う把持態様であるか否かを認識する電子機器。  
【請求項６】
筐体と、
カメラと、
前記筐体に加わる加速度を検出する加速度センサと、
前記加速度センサの検出値に基づいて筐体の姿勢を判定する姿勢判定部と、
前記筐体の姿勢が起きた姿勢になったと前記姿勢判定部が判定した場合に、前記カメラを起動させる起動制御部と、
前記加速度センサの検出値に基づいて前記筐体の動きを認識する動き認識部と
を備え、
前記起動制御部は、
前記筐体の姿勢が前記起きた姿勢になったと前記姿勢判定部が判定した場合であって、かつ、前記筐体が振られたと前記動き認識部が認識した場合に、前記カメラを起動させる電子機器。
【請求項７】
筐体と、
カメラと、
前記筐体に加わる加速度を検出する加速度センサと、
前記加速度センサの検出値に基づいて筐体の姿勢を判定する姿勢判定部と、
前記筐体の姿勢が起きた姿勢になったと前記姿勢判定部が判定した場合に、前記カメラを起動させる起動制御部と、
前記筐体の所定位置に加えられた圧力を検出する圧力センサと
を備え、
前記起動制御部は、
前記筐体の姿勢が前記起きた姿勢になったと前記姿勢判定部が判定した場合であって、かつ、前記筐体の所定位置への加圧を前記圧力センサが検出した場合に、前記カメラを起動させる電子機器。
【請求項８】
筐体と、
カメラと、
前記筐体に加わる加速度を検出する加速度センサと、
前記加速度センサの検出値に基づいて筐体の姿勢を判定する姿勢判定部と、
前記筐体の姿勢が起きた姿勢になったと前記姿勢判定部が判定した場合に、前記カメラを起動させる起動制御部と、
前記カメラの機能以外の他の複数の機能と
を備え、
前記起動制御部は、
前記カメラの起動に加え、前記他の複数の機能の夫々の起動を制御し、
前記筐体の姿勢が前記起きた姿勢になったと前記姿勢判定部が判定した場合であって、かつ、所定の機能を起動させている場合に、前記カメラを起動させる電子機器。
【発明の詳細な説明】
【技術分野】
【０００１】
本発明は、電子機器に関する。
本願は、２０１１年８月１０日に出願された日本国特願２０１１−１７５０９１号、及び、２０１２年１月１８日に出願された日本国特願２０１２−００８２７１号に基づき優先権を主張し、その内容をここに援用する。
【背景技術】
【０００２】
従来、種々のセンサを備える電子機器が知られている（例えば、特許文献１参照）。
【先行技術文献】
【特許文献】
【０００３】
【特許文献１】日本国特開２０１０−２５０６０８号公報
【発明の概要】
【発明が解決しようとする課題】
【０００４】
しかしながら、従来の電子機器の場合、ユーザの操作性に改善の余地がある。本発明に係る態様は、操作性を一層向上させた電子機器を提供することを目的とする。
【課題を解決するための手段】
【０００５】
本発明の一態様に係る電子機器は、筐体と、カメラと、前記筐体に加わる加速度を検出する加速度センサと、前記加速度センサの検出値に基づいて筐体の姿勢を判定する姿勢判定部と、前記筐体の姿勢が起きた姿勢になったと前記姿勢判定部が判定した場合に、前記カメラを起動させる起動制御部と、ユーザによる筐体の把持態様を認識する把持態様認識部とを備え、前記起動制御部は、前記筐体の姿勢が前記起きた姿勢になったと前記姿勢判定部が判定した場合であって、かつ、前記ユーザによる前記筐体の把持態様が前記カメラのレンズを覆う把持態様でないと前記把持態様認識部が認識した場合に、前記カメラを起動させる。【０００６】
また、上記電子機器の他の態様において、筐体と、カメラと、前記筐体に加わる加速度を検出する加速度センサと、前記加速度センサの検出値に基づいて筐体の姿勢を判定する姿勢判定部と、前記筐体の姿勢が起きた姿勢になったと前記姿勢判定部が判定した場合に、前記カメラを起動させる起動制御部と、前記加速度センサの検出値に基づいて前記筐体の動きを認識する動き認識部とを備え、前記起動制御部は、前記筐体の姿勢が前記起きた姿勢になったと前記姿勢判定部が判定した場合であって、かつ、前記筐体が振られたと前記動き認識部が認識した場合に、前記カメラを起動させる。【０００７】
また、上記電子機器の他の態様において、筐体と、カメラと、前記筐体に加わる加速度を検出する加速度センサと、前記加速度センサの検出値に基づいて筐体の姿勢を判定する姿勢判定部と、前記筐体の姿勢が起きた姿勢になったと前記姿勢判定部が判定した場合に、前記カメラを起動させる起動制御部と、前記筐体の所定位置に加えられた圧力を検出する圧力センサとを備え、前記起動制御部は、前記筐体の姿勢が前記起きた姿勢になったと前記姿勢判定部が判定した場合であって、かつ、前記筐体の所定位置への加圧を前記圧力センサが検出した場合に、前記カメラを起動させる。【０００８】
また、上記電子機器の他の態様において、筐体と、カメラと、前記筐体に加わる加速度を検出する加速度センサと、前記加速度センサの検出値に基づいて筐体の姿勢を判定する姿勢判定部と、前記筐体の姿勢が起きた姿勢になったと前記姿勢判定部が判定した場合に、前記カメラを起動させる起動制御部と、前記カメラの機能以外の他の複数の機能とを備え、前記起動制御部は、前記カメラの起動に加え、前記他の複数の機能の夫々の起動を制御し、前記筐体の姿勢が前記起きた姿勢になったと前記姿勢判定部が判定した場合であって、かつ、所定の機能を起動させている場合に、前記カメラを起動させる。
【発明の効果】
【０００９】
本発明に係る態様によれば、操作性を一層向上させることができる。
【図面の簡単な説明】
【００１０】
【図１Ａ】本発明の第１の実施形態による電子機器の外観模式図である。
【図１Ｂ】本発明の第１の実施形態による電子機器の外観模式図である。
【図２Ａ】本発明の第１の実施形態による電子機器の外観模式図である。
【図２Ｂ】本発明の第１の実施形態による電子機器の外観模式図である。
【図３】本発明の第１の実施形態による電子機器の機能ブロック図の一例である。
【図４】本発明の第２の実施形態による電子機器の機能ブロック図の一例である。
【図５】本発明の第３の実施形態による電子機器の機能ブロック図の一例である。
【図６】本発明の第４の実施形態による電子機器の機能ブロック図の一例である。
【図７】本発明の第５の実施形態による電子機器の機能ブロック図の一例である。
【図８】本発明の第６の実施形態による電子機器の機能ブロック図の一例である。
【図９】本発明の第７の実施形態による電子機器の機能ブロック図の一例である。
【図１０】本発明の第８の実施形態による電子機器の機能ブロック図の一例である。
【図１１Ａ】本発明に係る電子機器の処理の流れを示すフローチャートの一例である。
【図１１Ｂ】本発明に係る電子機器の処理の流れを示すフローチャートの一例である。
【図１１Ｃ】本発明に係る電子機器の処理の流れを示すフローチャートの一例である。
【図１２Ａ】本発明に係る電子機器の処理の流れを示すフローチャートの一例である。
【図１２Ｂ】本発明に係る電子機器の処理の流れを示すフローチャートの一例である。
【発明を実施するための形態】
【００１１】
（第１の実施形態）
以下、図面を参照しながら本発明の第１の実施形態について説明する。第１の実施形態による電子機器７ａは、筐体（即ち、電子機器７ａ）の姿勢変化（寝た状態から起きた状態に変化）という条件のみで、カメラ３００を自動的に起動させる電子機器である。
【００１２】
図１Ａおよび１Ｂ、図２Ａおよび２Ｂは、電子機器７ａの外観模式図である。なお、図１Ａおよび１Ｂは筐体が起きた姿勢、図２Ａおよび２Ｂは電子機器７ａが寝た姿勢を表している。電子機器７ａは、図１Ａ及び図２Ａに示すように、筐体前面部に、表示画面１２を有する。また、電子機器７ａは、図１Ｂ及び図２Ｂに示すように、筐体底部（背面部）１８に、カメラ３００のレンズ３０１が設けられている。
【００１３】
筐体前面部上の表示画面１２の外周に位置する領域は、辺部１４−１、１４−２、１４−３、１４−４（図１Ａにて網掛表示した部分）、及び、角部１６−１、１６−２、１６−３、１６−４（図１Ａにて斜線表示した部分）から構成される周縁領域である。符号１７−１、１７−２、１７−３、１７−４は、筐体側面部である。
【００１４】
図３は、電子機器７ａの機能ブロック図の一例である。なお、電子機器７ａの処理の流れについては後述する。
【００１５】
電子機器７ａは、図３に示すように、加速度センサ５０、表示部（タッチパネル）１００、姿勢認識部（姿勢判定部）２７０、起動制御部２８０、カメラ３００、及び、他の機能１、…、他の機能Ｎを備える。
【００１６】
他の機能１、…、他の機能Ｎとは、カメラ３００以外の機能（ソフトウェア及びハードウェアを含む）である。他の機能は、電子機器７ａ上で実行され得るものであればよく、例えば、画像再生、楽曲再生、通話、通信、ゲームソフトの実行などが該当する。
【００１７】
加速度センサ５０は、筐体に加わる加速度を検出する。表示部１００は、表示画面１２とタッチセンサ１０から構成される。表示画面１２は、種々の情報を表示する。タッチセンサ１０は、表示画面１２へのタッチを検出する。
【００１８】
姿勢判定部２７０は、加速度センサ５０の検出値に基づいて筐体の姿勢を判定する。具体的には、姿勢判定部２７０は、筐体の姿勢が図１Ａおよび１Ｂに示すように起きた姿勢であるか、図２Ａおよび２Ｂに示すように寝た姿勢であるかを判定する。
【００１９】
起動制御部２８０は、カメラ３００、及び、他の機能の起動を制御する。例えば、起動制御部２８０は、タッチセンサ１０を介して入力されたユーザからの明示的な指示（例えば、各アイコンのタッチ）に基づいて、カメラ３００、及び、他の機能の起動を制御する。
【００２０】
また、起動制御部２８０は、筐体の姿勢が起きた姿勢になったと姿勢判定部２７０が判定した場合に、カメラ３００を自動的に（ユーザからの明示的な指示無しに）起動させる。例えば、ユーザが、図２Ａおよび２Ｂに示すように筐体を寝かせて使用し、かつ、カメラ３００を起動させていないときに（例えば、画像を再生させているときに）、ユーザが、図１Ａおよび１Ｂに示すように筐体を起こした場合、起動制御部２８０は、（例えば、画像を再生させている場合は画像再生を中断し）カメラ３００を自動的に起動させる。
【００２１】
（第２の実施形態）
続いて、本発明の第２の実施形態について説明する。第２の実施形態による電子機器７ｂ（第３の実施形態による電子機器７ｃ、第４の実施形態による電子機器７ｄ、第５の実施形態による電子機器７ｅも同様）は、上述の筐体の姿勢変化という条件に加え、筐体の把持態様に関する条件に基づいて、カメラ３００を起動させる電子機器である。
【００２２】
図４は、電子機器７ｂの機能ブロック図の一例である。なお、電子機器７ｂの外観は、第１の実施形態による電子機器７ａと同様である。また、電子機器７ｂの処理の流れについては後述する。
【００２３】
電子機器７ｂは、図４に示すように、加速度センサ５０、照度センサ７０、表示部１００、把持態様認識部１２０、姿勢認識部２７０、起動制御部２８１、カメラ３００、及び、他の機能１、…、他の機能Ｎを備える。なお、図４において、図３と同一の符号は、同一の機能を表しているため、説明の一部又は全部を省略する。
【００２４】
照度センサ７０は、照度を検出（測定）する。なお、照度センサ７０は、把持態様が認識できる位置（例えば、レンズ３０１の周辺の明るさを検出するためレンズ３０１と同一の面（筐体背面部１８）側）に、把持態様が認識できる個数（１以上）、設置する。
【００２５】
把持態様認識部１２０は、ユーザによる筐体の把持態様を認識する。具体的には、把持態様認識部１２０は、ユーザによる筐体の把持態様がカメラ３００のレンズ３０１を覆う把持態様であるか否かを認識（判定）する。より詳細には、把持態様認識部１２０は、照度センサ７０から出力された検出値に基づいて、ユーザによる筐体の把持態様がカメラ３００のレンズ３０１を覆う把持態様であるか否かを認識する。
【００２６】
例えば、把持態様認識部１２０は、以下のように、ユーザによる筐体の把持態様がレンズ３０１を覆う把持態様であるか否かを認識する。
把持態様認識部１２０は、常時一定時間毎（例えば、１０分毎）に、照度センサ７０から出力された検出値を取得し、一時記憶しておく。把持態様認識部１２０は、把持態様の判断を行うときに（例えば、筐体の姿勢が起きた姿勢になったと姿勢判定部２７０が判定したときに）、判断直前の一定期間（例えば、１時間）に照度センサ７０から出力された検出値に基づいて基準値（例えば、平均値）を算出し、算出した基準値と、今回（即ち、判断時）、照度センサ７０から出力された検出値とを比較し、ユーザによる筐体の把持態様がレンズ３０１を覆う把持態様であるか否かを認識する。
即ち、把持態様認識部１２０は、今回の検出値が基準値に対し所定の閾値以上小さい場合（即ち、判断直前の一定期間の明るさよりも所定の閾値以上暗い場合）には、レンズ３０１を覆う把持態様であると認識し、今回の検出値が基準値に対し所定の閾値以上小さくない場合（即ち、直前の一定期間の明るさよりも所定の閾値以上暗くない場合）には、レンズ３０１を覆う把持態様でないと認識する。
【００２７】
なお、把持態様認識部１２０は、把持態様の判断を行うときに基準値を算出するのではなく、適宜（例えば、上記常時一定時間毎）、最新の基準値を算出し一時記憶しておき、把持態様の判断を行うときに、一時記憶している最新の基準値と、今回、照度センサ７０から出力された検出値とを比較し、ユーザによる筐体の把持態様がカメラ３００のレンズ３０１を覆う把持態様であるか否かを認識してもよい。
【００２８】
起動制御部２８１は、カメラ３００、及び、他の機能の起動を制御する。例えば、起動制御部２８１は、タッチセンサ１０を介して入力されたユーザからの明示的な指示に基づいて、カメラ３００、及び、他の機能の起動を制御する。
【００２９】
また、起動制御部２８１は、筐体の姿勢が起きた姿勢になったと姿勢判定部２７０が判定した場合であって、かつ、ユーザによる筐体の把持態様がレンズ３０１を覆う把持態様でないと把持態様認識部１２０が認識した場合（即ち、ユーザによる筐体の把持態様がレンズ３０１を覆わない把持態様であると把持態様認識部１２０が認識した場合）、カメラ３００を自動的に起動させる。例えば、ユーザが、図２Ａおよび２Ｂに示すように筐体を寝かせて使用し、かつ、カメラ３００を起動させていないときに（例えば、画像を再生させているときに）、ユーザが、図１Ａおよび１Ｂに示すように筐体を起こし、かつ、ユーザの指などによってレンズ３０１が覆われていないと判断された場合、起動制御部２８１は、（例えば、画像を再生させている場合は画像再生を中断し）カメラ３００を自動的に起動させる。
【００３０】
（第３の実施形態）
続いて、本発明の第３の実施形態について説明する。第３の実施形態による電子機器７ｃは、ユーザによる筐体の把持態様をタッチセンサ１０から出力された検出値に基づいて認識する点が、第２の実施形態による電子機器７ｂと異なる。
【００３１】
図５は、電子機器７ｃの機能ブロック図の一例である。なお、電子機器７ｃの外観は、第１の実施形態による電子機器７ａと同様である。また、電子機器７ｃの処理の流れについては後述する。
【００３２】
電子機器７ｃは、図５に示すように、加速度センサ５０、表示部１００、把持態様認識部１２１、姿勢認識部２７０、起動制御部２８２、カメラ３００、及び、他の機能１、…、他の機能Ｎを備える。なお、図５において、図３又は図４と同一の符号は、同一の機能を表しているため、説明の一部又は全部を省略する。
【００３３】
把持態様認識部１２１は、ユーザによる筐体の把持態様を認識する。具体的には、把持態様認識部１２１は、ユーザによる筐体の把持態様がカメラ３００のレンズ３０１を覆う把持態様であるか否かを認識（判定）する。より詳細には、把持態様認識部１２１は、タッチセンサ１０から出力された検出値（タッチ位置）に基づいて、ユーザによる筐体の把持態様がカメラ３００のレンズ３０１を覆う把持態様であるか否かを認識する。
【００３４】
通常、筐体前面部の表示画面１２に指等が触れる位置又は触れる量は、レンズ３０１を覆うような把持態様の場合と、レンズ３０１を覆わないような把持態様の場合とで異なる。従って、例えば、把持態様認識部１２１は、以下のように、ユーザによる筐体の把持態様がレンズ３０１を覆う把持態様であるか否かを認識する。
予め、レンズ３０１を覆う代表的な把持態様におけるタッチセンサ１０の検出値のパターンと、レンズ３０１を覆わない代表的な把持態様におけるタッチセンサ１０の検出値のパターンを採取し夫々記憶しておく。把持態様認識部１２１は、把持態様の判断を行うときに（例えば、筐体の姿勢が起きた姿勢になったと姿勢判定部２７０が判定したときに）、予め記憶しているパターンと、タッチセンサ１０から今回出力された検出値とを比較し、ユーザによる筐体の把持態様がレンズ３０１を覆う把持態様であるか否かを認識する。
即ち、把持態様認識部１２１は、今回の検出値が、レンズ３０１を覆わない代表的な把持態様におけるタッチセンサ１０の検出値のパターンよりも、レンズ３０１を覆う代表的な把持態様におけるタッチセンサ１０の検出値のパターンに近い場合には、ユーザによる筐体の把持態様がレンズ３０１を覆う把持態様であると認識し、逆の場合には、レンズ３０１を覆う把持態様でないと認識する。
【００３５】
起動制御部２８２は、カメラ３００、及び、他の機能の起動を制御する。例えば、起動制御部２８２は、タッチセンサ１０を介して入力されたユーザからの明示的な指示に基づいて、カメラ３００、及び、他の機能の起動を制御する。
【００３６】
また、起動制御部２８２は、筐体の姿勢が起きた姿勢になったと姿勢判定部２７０が判定した場合であって、かつ、ユーザによる筐体の把持態様がレンズ３０１を覆う把持態様でないと把持態様認識部１２１が認識した場合、カメラ３００を自動的に起動させる。例えば、ユーザが、図２Ａおよび２Ｂに示すように筐体を寝かせて使用し、かつ、カメラ３００を起動させていないときに（例えば、画像を再生させているときに）、ユーザが、図１Ａおよび１Ｂに示すように筐体を起こし、かつ、ユーザの指などによってレンズ３０１が覆われていないと判断された場合、起動制御部２８２は、（例えば、画像を再生させている場合は画像再生を中断し）カメラ３００を自動的に起動させる。
【００３７】
（第４の実施形態）
続いて、本発明の第４の実施形態について説明する。第４の実施形態による電子機器７ｄは、ユーザによる筐体の把持態様を筐体側面部１７に設けたタッチセンサ２０から出力された検出値に基づいて認識する点が、第２の実施形態による電子機器７ｂと異なる。
【００３８】
図６は、電子機器７ｄの機能ブロック図の一例である。なお、電子機器７ｄの外観は、第１の実施形態による電子機器７ａと同様である。また、電子機器７ｄの処理の流れについては後述する。
【００３９】
電子機器７ｄは、図６に示すように、タッチセンサ（側面センサ）２０、加速度センサ５０、表示部１００、把持態様認識部１２２、姿勢認識部２７０、起動制御部２８３、カメラ３００、及び、他の機能１、…、他の機能Ｎを備える。なお、図６において、図３乃至図５と同一の符号は、同一の機能を表しているため、説明の一部又は全部を省略する。
【００４０】
タッチセンサ２０は、筐体側面部１７−１、１７−２、１７−３、１７−４に配置され、筐体側面部１７−１、１７−２、１７−３、１７−４に対するタッチを検出する。
【００４１】
把持態様認識部１２２は、ユーザによる筐体の把持態様を認識する。具体的には、把持態様認識部１２２は、ユーザによる筐体の把持態様がカメラ３００のレンズ３０１を覆う把持態様であるか否かを認識（判定）する。より詳細には、把持態様認識部１２２は、タッチセンサ２０から出力された検出値（タッチ位置）に基づいて、ユーザによる筐体の把持態様がカメラ３００のレンズ３０１を覆う把持態様であるか否かを認識する。
【００４２】
通常、各筐体側面部１７に指等が触れる位置又は触れる量は、レンズ３０１を覆うような把持態様の場合と、レンズ３０１を覆わないような把持態様の場合とで異なる。従って、例えば、把持態様認識部１２２は、以下のように、ユーザによる筐体の把持態様がレンズ３０１を覆う把持態様であるか否かを認識する。
電子機器７ｃの場合と同様、予め、レンズ３０１を覆う代表的な把持態様におけるタッチセンサ２０の検出値のパターンと、レンズ３０１を覆わない代表的な把持態様におけるタッチセンサ２０の検出値のパターンを採取し夫々記憶しておく。把持態様認識部１２２は、把持態様の判断を行うときに（例えば、筐体の姿勢が起きた姿勢になったと姿勢判定部２７０が判定したときに）、予め記憶しているパターンと、タッチセンサ２０から今回出力された検出値とを比較し、ユーザによる筐体の把持態様がレンズ３０１を覆う把持態様であるか否かを認識する。
【００４３】
起動制御部２８３は、カメラ３００、及び、他の機能の起動を制御する。例えば、起動制御部２８３は、タッチセンサ１０を介して入力されたユーザからの明示的な指示に基づいて、カメラ３００、及び、他の機能の起動を制御する。
【００４４】
また、起動制御部２８３は、筐体の姿勢が起きた姿勢になったと姿勢判定部２７０が判定した場合であって、かつ、ユーザによる筐体の把持態様がカメラのレンズ３０１を覆う把持態様でないと把持態様認識部１２２が認識した場合、カメラ３００を自動的に起動させる。例えば、ユーザが、図２Ａおよび２Ｂに示すように筐体を寝かせて使用し、かつ、カメラ３００を起動させていないときに（例えば、画像を再生させているときに）、ユーザが、図１Ａおよび１Ｂに示すように筐体を起こし、かつ、ユーザの指などによってレンズ３０１が覆われていないと判断された場合、起動制御部２８３は、（例えば、画像を再生させている場合は画像再生を中断し）カメラ３００を自動的に起動させる。
【００４５】
（第５の実施形態）
続いて、本発明の第５の実施形態について説明する。第５の実施形態による電子機器７ｅは、ユーザによる筐体の把持態様を一時的に起動させたカメラ３００による撮像画像（スルー画）に基づいて認識する点が、第２の実施形態による電子機器７ｂと異なる。
【００４６】
図７は、電子機器７ｅの機能ブロック図の一例である。なお、電子機器７ｅの外観は、第１の実施形態による電子機器７ａと同様である。また、電子機器７ｅの処理の流れについては後述する。
【００４７】
電子機器７ｅは、図７に示すように、加速度センサ５０、表示部１００、把持態様認識部１２３、姿勢認識部２７０、起動制御部２８４、カメラ３００、及び、他の機能１、…、他の機能Ｎを備える。なお、図７おいて、図３乃至図６と同一の符号は、同一の機能を表しているため、説明の一部又は全部を省略する。
【００４８】
起動制御部２８４は、カメラ３００、及び、他の機能の起動を制御する。例えば、起動制御部２８４は、タッチセンサ１０を介して入力されたユーザからの明示的な指示に基づいて、カメラ３００、及び、他の機能の起動を制御する。
【００４９】
また、起動制御部２８４は、筐体の姿勢が起きた姿勢になったと姿勢判定部２７０が判定した場合であって、かつ、ユーザによる筐体の把持態様がカメラのレンズ３０１を覆う把持態様でないと把持態様認識部１２３が認識した場合、カメラ３００を自動的に起動させる。
【００５０】
具体的には、起動制御部２８４は、筐体の姿勢が起きた姿勢になったと姿勢判定部２７０が判定した時点において、カメラ３００を一時的に起動する。即ち、起動制御部２８４は、筐体の姿勢が起きた姿勢になったと姿勢判定部２７０が判定した場合、把持態様認識部１２３に把持態様を認識させるためにカメラ３００を一時的に起動する。
続いて、起動制御部２８４は、ユーザによる筐体の把持態様がレンズ３０１を覆う把持態様でないと把持態様認識部１２３が認識した場合には、一時起動しているカメラ３００の起動（実行）を維持（継続）する。即ち、起動終了の明示的な指示などがあるまでカメラ３００を起動させたままにする。
一方、起動制御部２８４は、ユーザによる筐体の把持態様がレンズ３０１を覆う把持態様であると把持態様認識部１２３が認識した場合には、一時起動しているカメラ３００の起動を終了する。なお、起動制御部２８４は、カメラ３００を一時起動させる前に起動させていた機能を起動させてもよい（一時起動させる前に起動させていた機能に復帰させてもよい）。
【００５１】
把持態様認識部１２３は、ユーザによる筐体の把持態様を認識する。具体的には、把持態様認識部１２３は、ユーザによる筐体の把持態様がカメラ３００のレンズ３０１を覆う把持態様であるか否かを認識（判定）する。より詳細には、把持態様認識部１２３は、一時的に起動しているカメラ３００による撮像画像（スルー画）に基づいて、ユーザによる筐体の把持態様がカメラ３００のレンズ３０１を覆う把持態様であるか否かを認識する。
【００５２】
例えば、把持態様認識部１２３は、撮像画像の輝度値（画素値）が、所定の閾値未満である場合には、レンズ３０１を覆う把持態様であると認識し、撮像画像の輝度値が、所定の閾値以上である場合には、レンズ３０１を覆う把持態様でないと認識する。
また例えば、把持態様認識部１２３は、撮像画像に、ユーザの掌、指などが実際に写っている場合（若しくは、写っていると推定される場合）には、レンズ３０１を覆う把持態様であると認識し、ユーザの掌、指などが実際に写っていない場合（若しくは、写っていないと推定される場合）には、レンズ３０１を覆う把持態様でないと認識する。
【００５３】
（第６の実施形態）
続いて、本発明の第６の実施形態について説明する。第６の実施形態による電子機器７ｆは、上述の筐体の姿勢変化という条件に加え、筐体が振られたか否かという条件に基づいて、カメラ３００を自動的に起動させる電子機器である。
【００５４】
図８は、電子機器７ｆの機能ブロック図の一例である。なお、電子機器７ｆの外観は、第１の実施形態による電子機器７ａと同様である。また、電子機器７ｆの処理の流れについては後述する。
【００５５】
電子機器７ｆは、図８に示すように、加速度センサ５０、表示部１００、動き認識部２６０、姿勢認識部２７０、起動制御部２８５、カメラ３００、及び、他の機能１、…、他の機能Ｎを備える。なお、図８おいて、図３乃至図７と同一の符号は、同一の機能を表しているため、説明の一部又は全部を省略する。
【００５６】
動き認識部２６０は、加速度センサ５０の検出値に基づいて筐体の動きを認識する。例えば、ユーザが筐体を振った場合、動き認識部２６０は、振られた方向の加速度を検出する。
【００５７】
起動制御部２８５は、カメラ３００、及び、他の機能の起動を制御する。例えば、起動制御部２８５は、タッチセンサ１０を介して入力されたユーザからの明示的な指示に基づいて、カメラ３００、及び、他の機能の起動を制御する。
【００５８】
また、起動制御部２８５は、筐体の姿勢が起きた姿勢になったと姿勢判定部２７０が判定した場合であって、かつ、筐体が振られたと動き認識部２６０が認識した場合に、カメラ３００を自動的に起動させる。例えば、ユーザが、図２Ａおよび２Ｂに示すように筐体を寝かせて使用し、かつ、カメラ３００を起動させていないときに（例えば、画像を再生させているときに）、ユーザが、図１Ａおよび１Ｂに示すように筐体を起こした後、筐体を振った場合に（若しくは、ユーザが、筐体を振った後に、図１Ａおよび１Ｂに示すように筐体を起こした場合に）、起動制御部２８５は、（例えば、画像を再生させている場合は画像再生を中断し）カメラ３００を自動的に起動させる。
【００５９】
（第７の実施形態）
続いて、本発明の第７の実施形態について説明する。第７の実施形態による電子機器７ｇは、上述の筐体の姿勢変化という条件に加え、筐体が押されたか否かという条件に基づいて、カメラ３００を自動的に起動させる電子機器である。
【００６０】
図９は、電子機器７ｇの機能ブロック図の一例である。なお、電子機器７ｇの外観は、第１の実施形態による電子機器７ａと同様である。また、電子機器７ｇの処理の流れについては後述する。
【００６１】
電子機器７ｇは、図９に示すように、圧力センサ４０、加速度センサ５０、表示部１００、姿勢認識部２７０、起動制御部２８６、カメラ３００、及び、他の機能１、…、他の機能Ｎを備える。なお、図９おいて、図３乃至図８と同一の符号は、同一の機能を表しているため、説明の一部又は全部を省略する。
【００６２】
圧力センサ４０は、筐体の所定位置に加えられた圧力を検出する。例えば、圧力センサ４０は、前面周縁領域（前面辺部１４、前面角部１６）に配置され、前面周縁領域に対する加圧を検出する。
【００６３】
起動制御部２８６は、カメラ３００、及び、他の機能の起動を制御する。例えば、起動制御部２８６は、タッチセンサ１０を介して入力されたユーザからの明示的な指示に基づいて、カメラ３００、及び、他の機能の起動を制御する。
【００６４】
また、起動制御部２８６は、筐体の姿勢が起きた姿勢になったと姿勢判定部２７０が判定した場合であって、かつ、筐体の所定位置（例えば、前面辺部１４−１、１４−２、１４−３、１４−４の何れか１つ以上）への加圧を圧力センサ４０が検出した場合に、カメラ３００を自動的に起動させる。例えば、ユーザが、図２Ａおよび２Ｂに示すように筐体を寝かせて使用し、かつ、カメラ３００を起動させていないときに（例えば、画像を再生させているときに）、ユーザが、図１Ａおよび１Ｂに示すように筐体を起こした後、一の前面辺部１４を押した場合に（若しくは、ユーザが、一の前面辺部を押した後に、図１Ａおよび１Ｂに示すように筐体を起こした場合に）、起動制御部２８６は、（例えば、画像を再生させている場合は画像再生を中断し）カメラ３００を自動的に起動させる。
【００６５】
（第８の実施形態）
続いて、本発明の第８の実施形態について説明する。第８の実施形態による電子機器７ｈは、上述の筐体の姿勢変化という条件に加え、所定の機能を起動しているか否かという条件に基づいて、カメラ３００を自動的に起動させる電子機器である。
【００６６】
図１０は、電子機器７ｈの機能ブロック図の一例である。なお、電子機器７ｈの外観は、第１の実施形態による電子機器７ａと同様である。また、電子機器７ｈの処理の流れについては後述する。
【００６７】
電子機器７ｈは、図１０に示すように、加速度センサ５０、表示部１００、姿勢認識部２７０、起動制御部２８７、カメラ３００、及び、他の機能１、…、他の機能Ｎを備える。なお、図１０おいて、図３乃至図９と同一の符号は、同一の機能を表しているため、説明の一部又は全部を省略する。
【００６８】
起動制御部２８７は、カメラ３００、及び、他の機能の起動を制御する。例えば、起動制御部２８７は、タッチセンサ１０を介して入力されたユーザからの明示的な指示に基づいて、カメラ３００、及び、他の機能の起動を制御する。
【００６９】
また、起動制御部２８７は、筐体の姿勢が起きた姿勢になったと姿勢判定部２７０が判定した場合であって、かつ、所定の機能を起動させている場合に、カメラ３００を自動的に起動させる。例えば、ユーザが、図２Ａおよび２Ｂに示すように筐体を寝かせて使用し、かつ、カメラ３００を起動させていないときに、ユーザが、図１Ａおよび１Ｂに示すように筐体を起こした場合に、所定の機能（例えば、画像再生）が起動中（実行中）であるときは（換言すれば、所定の機能の起動中（実行中）に、ユーザが筐体を起こした場合）、当該所定の機能を中断し、カメラ３００を自動的に起動させる。
【００７０】
以下、本発明に係る第１〜第８の実施形態による電子機器７ａ〜７ｈの処理の流れについて説明する。
図１１Ａ，１１Ｂおよび１１Ｃは、本発明に係る電子機器（７ａ等）の処理の流れを示すフローチャートの一例である。図１２Ａおよび１２Ｂは、本発明に係る電子機器（７ｆ等）の処理の流れを示すフローチャートの一例である。なお、各フローチャートは、加速度センサ５０が筐体に加わる加速度を検出する度に開始する。なお、各フローチャートの開始時において、筐体は寝た状態であってカメラ３００は起動していないものとする。
【００７１】
（電子機器７ａ）
第１の実施形態による電子機器７ａの処理の流れを説明する。
図１１Ａにおいて、電子機器７ａの姿勢判定部２７０は、加速度センサ５０の検出結果に基づいて、筐体が起きた姿勢になったか否かを判断する（ステップＳ６００）。筐体が起きた姿勢になっていない場合（ステップＳ６００：Ｎｏ）、図１１Ａのフローチャートは終了する。
一方、筐体が起きた姿勢になった場合（ステップＳ６００：Ｙｅｓ）、起動制御部２８０は、カメラ３００を起動させる（ステップＳ６１０）。そして図１１Ａのフローチャートは終了する。
【００７２】
（電子機器７ｂ）
続いて、第２の実施形態による電子機器７ｂの処理の流れを説明する。なお、フローチャートは、図１１Ｂである。
図１１Ｂにおいて、電子機器７ｂの姿勢判定部２７０は、加速度センサ５０の検出結果に基づいて、筐体が起きた姿勢になったか否かを判断する（ステップＳ６００）。ステップＳ６００において、筐体が起きた姿勢になっていない場合（ステップＳ６００：Ｎｏ）、図１１Ｂのフローチャートは終了する。
【００７３】
ステップＳ６００において、筐体が起きた姿勢になった場合（ステップＳ６００：Ｙｅｓ）、把持態様認識部１２０は、照度センサ７０から出力された検出値に基づいて、ユーザによる筐体の把持態様がレンズ３０１を覆う把持態様であるか否かを判定する（ステップＳ６０４）。
【００７４】
ステップＳ６０４において、ユーザよる筐体の把持態様がレンズ３０１を覆う把持態様である場合（ステップＳ６０４：Ｙｅｓ）、図１１Ｂのフローチャートは終了する。
一方、ステップＳ６０４において、ユーザよる筐体の把持態様がレンズ３０１を覆う把持態様でない場合（ステップＳ６０４：Ｎｏ）、起動制御部２８１は、カメラ３００を起動させる（ステップＳ６１０）。そして図１１Ｂのフローチャートは終了する。
【００７５】
（電子機器７ｃ）
続いて、第３の実施形態による電子機器７ｃの処理の流れを説明する。なお、フローチャートは、電子機器７ｂと同一の図１１Ｂである。
図１１Ｂにおいて、電子機器７ｃの姿勢判定部２７０は、加速度センサ５０の検出結果に基づいて、筐体が起きた姿勢になったか否かを判断する（ステップＳ６００）。ステップＳ６００において、筐体が起きた姿勢になっていない場合（ステップＳ６００：Ｎｏ）、図１１Ｂのフローチャートは終了する。
【００７６】
ステップＳ６００において、筐体が起きた姿勢になった場合（ステップＳ６００：Ｙｅｓ）、把持態様認識部１２１は、タッチセンサ１０から出力された検出値に基づいて、ユーザによる筐体の把持態様がレンズ３０１を覆う把持態様であるか否かを判定する（ステップＳ６０４）。
【００７７】
ステップＳ６０４において、ユーザよる筐体の把持態様がレンズ３０１を覆う把持態様である場合（ステップＳ６０４：Ｙｅｓ）、図１１Ｂのフローチャートは終了する。
一方、ステップＳ６０４において、ユーザよる筐体の把持態様がレンズ３０１を覆う把持態様でない場合（ステップＳ６０４：Ｎｏ）、起動制御部２８２は、カメラ３００を起動させる（ステップＳ６１０）。そして図１１Ｂのフローチャートは終了する。
【００７８】
（電子機器７ｄ）
続いて、第４の実施形態による電子機器７ｄの処理の流れを説明する。なお、フローチャートは、電子機器７ｂと同一の図１１Ｂである。
図１１Ｂにおいて、電子機器７ｄの姿勢判定部２７０は、加速度センサ５０の検出結果に基づいて、筐体が起きた姿勢になったか否かを判断する（ステップＳ６００）。ステップＳ６００において、筐体が起きた姿勢になっていない場合（ステップＳ６００：Ｎｏ）、図１１Ｂのフローチャートは終了する。
【００７９】
ステップＳ６００において、筐体が起きた姿勢になった場合（ステップＳ６００：Ｙｅｓ）、把持態様認識部１２２は、タッチセンサ２０から出力された検出値に基づいて、ユーザによる筐体の把持態様がレンズ３０１を覆う把持態様であるか否かを判定する（ステップＳ６０４）。
【００８０】
ステップＳ６０４において、ユーザよる筐体の把持態様がレンズ３０１を覆う把持態様である場合（ステップＳ６０４：Ｙｅｓ）、図１１Ｂのフローチャートは終了する。
一方、ステップＳ６０４において、ユーザよる筐体の把持態様がレンズ３０１を覆う把持態様でない場合（ステップＳ６０４：Ｎｏ）、起動制御部２８３は、カメラ３００を起動させる（ステップＳ６１０）。そして図１１Ｂのフローチャートは終了する。
【００８１】
（電子機器７ｅ）
続いて、第５の実施形態による電子機器７ｅの処理の流れを説明する。なお、フローチャートは、図１１Ｃである。
図１１Ｃにおいて、電子機器７ｅの姿勢判定部２７０は、加速度センサ５０の検出結果に基づいて、筐体が起きた姿勢になったか否かを判断する（ステップＳ６００）。ステップＳ６００において、筐体が起きた姿勢になっていない場合（ステップＳ６００：Ｎｏ）、図１１Ｃのフローチャートは終了する。
【００８２】
ステップＳ６００において、筐体が起きた姿勢になった場合（ステップＳ６００：Ｙｅｓ）、起動制御部２８４は、カメラ３００を一時的に起動させる（ステップＳ６０２）。
ステップＳ６０２に続いて、把持態様認識部１２３は、ステップＳ６０２において一時的に起動したカメラ３００による撮像画像（スルー画）に基づいて、ユーザによる筐体の把持態様がカメラ３００のレンズ３０１を覆う把持態様であるか否かを判定する（ステップＳ６０４）。
【００８３】
ステップＳ６０４において、ユーザよる筐体の把持態様がレンズ３０１を覆う把持態様である場合（ステップＳ６０４：Ｙｅｓ）、起動制御部２８４は、ステップＳ６０２において一時起動させたカメラ３００の起動（実行）を終了する（ステップＳ６１２）。そして図１１Ｃのフローチャートは終了する。
一方、ステップＳ６０４において、ユーザよる筐体の把持態様がレンズ３０１を覆う把持態様でない場合（ステップＳ６０４：Ｎｏ）、図１１Ｃのフローチャートは終了する。即ち、起動制御部２８４は、ユーザによる筐体の把持態様がレンズ３０１を覆う把持態様でない場合には、ステップＳ６０２において一時起動させたカメラ３００の起動を維持（継続）する（起動終了の明示的な指示などがあるまでカメラ３００を起動させたままにする）。
【００８４】
（電子機器７ｆ）
続いて、第６の実施形態による電子機器７ｆの処理の流れを説明する。なお、フローチャートは、図１２Ａである。
図１２Ａにおいて、電子機器７ｆの姿勢判定部２７０は、加速度センサ５０の検出結果に基づいて、筐体が起きた姿勢になったか否かを判断する（ステップＳ６００）。ステップＳ６００において、筐体が起きた姿勢になっていない場合（ステップＳ６００：Ｎｏ）、図１２Ａのフローチャートは終了する。
【００８５】
ステップＳ６００において、筐体が起きた姿勢になった場合（ステップＳ６００：Ｙｅｓ）、筐体に対する所定の動作があったか否かを判定する（ステップＳ６０６）。具体的には、動き認識部２６０は、加速度センサ５０から出力された検出値に基づいて筐体が振られたか否かを判定する（ステップＳ６０６）。
【００８６】
ステップＳ６０６において、筐体が振られていない場合（ステップＳ６０６：Ｎｏ）、図１２Ａのフローチャートは終了する。
一方、ステップＳ６０６において、筐体が振られた場合（ステップＳ６０６：Ｙｅｓ）、起動制御部２８５は、カメラ３００を起動させる（ステップＳ６１０）。そして図１２Ａのフローチャートは終了する。
【００８７】
（電子機器７ｇ）
続いて、第７の実施形態による電子機器７ｇの処理の流れを説明する。なお、フローチャートは、電子機器７ｆと同一の図１２Ａである。
図１２Ａにおいて、電子機器７ｇの姿勢判定部２７０は、加速度センサ５０の検出結果に基づいて、筐体が起きた姿勢になったか否かを判断する（ステップＳ６００）。ステップＳ６００において、筐体が起きた姿勢になっていない場合（ステップＳ６００：Ｎｏ）、図１２Ａのフローチャートは終了する。
【００８８】
ステップＳ６００において、筐体が起きた姿勢になった場合（ステップＳ６００：Ｙｅｓ）、筐体に対する所定の動作があったか否かを判定する（ステップＳ６０６）。具体的には、起動制御部２８６は、圧力センサ４０から出力された検出値に基づいて筐体が押されたか否かを判定する（ステップＳ６０６）。
【００８９】
ステップＳ６０６において、筐体が押されていない場合（ステップＳ６０６：Ｎｏ）、図１２Ａのフローチャートは終了する。
一方、ステップＳ６０６において、筐体が押された場合（ステップＳ６０６：Ｙｅｓ）、起動制御部２８６は、カメラ３００を起動させる（ステップＳ６１０）。そして図１２Ａのフローチャートは終了する。
【００９０】
（電子機器７ｈ）
続いて、第８の実施形態による電子機器７ｈの処理の流れを説明する。なお、フローチャートは、図１２Ｂである。
図１２Ｂにおいて、電子機器７ｈの姿勢判定部２７０は、加速度センサ５０の検出結果に基づいて、筐体が起きた姿勢になったか否かを判断する（ステップＳ６００）。ステップＳ６００において、筐体が起きた姿勢になっていない場合（ステップＳ６００：Ｎｏ）、図１２Ｂのフローチャートは終了する。
【００９１】
ステップＳ６００において、筐体が起きた姿勢になった場合（ステップＳ６００：Ｙｅｓ）、起動制御部２８７は、所定の機能（例えば、画像再生）を起動（実行）させているか否かを判断する（ステップＳ６０８）。
【００９２】
ステップＳ６０８において、所定の機能を起動させていない場合（ステップＳ６０８：Ｎｏ）、図１２Ｂのフローチャートは終了する。即ち、予め定めた機能以外を起動させているときは、筐体を起こしてもカメラ３００は起動しない。
一方、ステップＳ６０８において、所定の機能を起動させている場合（ステップＳ６０８：Ｙｅｓ）、起動制御部２８７は、カメラ３００を起動させる（ステップＳ６１０）。
そして図１２Ｂのフローチャートは終了する。
【００９３】
以上、電子機器７ａによれば、操作性を一層向上させることができる。つまり、筐体を起こすという簡便な操作で、カメラ３００を起動させることができる。また、電子機器７ｂ〜７ｈの各電子機器によれば、カメラ３００を起こしたときに、所定の条件に応じて、適宜、カメラ３００を起動させることができる。
【００９４】
なお、把持態様の認識に関し、レンズ３０１の周辺の明るさに基づいて把持態様を認識する方法（第２の実施形態による電子機器７ｂ）、表示画面１２のタッチ位置に基づいて把持態様を認識する方法（第３の実施形態による電子機器７ｃ）、筐体側面部１７のタッチ位置に基づいて把持態様を認識する方法（第４の実施形態による電子機器７ｄ）、及び、撮像画像に基づいて把持態様を認識する方法（第５の実施形態による電子機器７ｅ）を例示したが、把持態様の認識方法は、上記に限定されるものではない。例えば、圧力センサ４０の検出値に基づいて把持態様を認識してもよい。例えば、電子機器７ｃ、７ｄの場合と同様に、予め、圧力センサ４０の検出値のパターンを記憶しておくことによって、把持態様認識部は、ユーザによる筐体の把持態様がレンズ３０１を覆う把持態様であるか否かを認識してもよい。
【００９５】
また、筐体の姿勢変化という条件と筐体に対する所定の動作という条件とによってカメラ３００を自動的に起動させる態様における、所定の動作として、筐体を振る動作（第６の実施形態による電子機器７ｆ）、及び、筐体を押す動作（第７の実施形態による電子機器７ｇ）を例示したが、所定の動作は、上記に限定されるものではない。例えば、表示画面１２の任意の場所（所定のアイコンではない）をタッチする動作であってもよい。
【００９６】
なお、本発明の実施形態による電子機器７ａ〜７ｈの処理を実行するためのプログラムをコンピュータ読み取り可能な記録媒体に記録して、当該記録媒体に記録されたプログラムをコンピュータシステムに読み込ませ、実行することにより、本発明の実施形態による電子機器７ａ〜７ｈに係る上述した種々の処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。また、「コンピュータ読み取り可能な記録媒体」とは、フロッピー（登録商標）ディスク、光磁気ディスク、ＳＤカード、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００９８】
以上、この発明の実施形態について図面を参照して詳述してきたが、具体的な構成はこの実施形態に限られるものではなく、この発明の要旨を逸脱しない範囲の設計等も含まれる。
【００９９】
本発明の一実施形態において、電子機器は、カメラと、筐体に加わる加速度を検出する加速度センサと、前記加速度センサの検出値に基づいて筐体の姿勢を判定する姿勢判定部と、筐体の姿勢が起きた姿勢になったと前記姿勢判定部が判定した場合に、カメラを起動させる起動制御部と、ユーザによる筐体の把持態様を認識する把持態様認識部とを備え、前記起動制御部は、筐体の姿勢が起きた姿勢になったと前記姿勢判定部が判定した場合であって、かつ、ユーザによる筐体の把持態様がカメラのレンズを覆う把持態様でないと前記把持態様認識部が認識した場合に、カメラを起動させる。
【０１００】
上記実施形態において、照度センサを更に備え、前記把持態様認識部は、前記照度センサから出力された検出値に基づいて、ユーザによる筐体の把持態様がカメラのレンズを覆う把持態様であるか否かを認識する構成を採用できる。
【０１０１】
また、上記実施形態において、ユーザのタッチを検出するタッチパネルを更に備え、前記把持態様認識部は、前記タッチの位置に基づいて、ユーザによる筐体の把持態様がカメラのレンズを覆う把持態様であるか否かを認識する構成を採用できる。
【０１０２】
また、上記実施形態において、筐体の側面部のタッチを認識するタッチセンサを更に備え、前記把持態様認識部は、前記側面部のタッチの位置に基づいて、ユーザによる筐体の把持態様がカメラのレンズを覆う把持態様であるか否かを認識する構成を採用できる。
【０１０３】
また、上記実施形態の一例において、前記起動制御部は、筐体の姿勢が起きた姿勢になったと前記姿勢判定部が判定した場合に、カメラを一時的に起動し、前記把持態様認識部は、一時的に起動しているカメラによる撮像画像に基づいて、ユーザによる筐体の把持態様がカメラのレンズを覆う把持態様であるか否かを認識することができる。
【符号の説明】
【０１０４】
７ａ、７ｂ、７ｃ、７ｄ、７ｅ、７ｆ、７ｇ、７ｈ…電子機器  １０…タッチセンサ  １２…表示画面  １４…前面辺部  １６…前面角部  １７…筐体側面部  １８…筐体底部（背面部）  ２０…タッチセンサ（側面部用）  ４０…圧力センサ  ５０…加速度センサ  ７０…照度センサ  １００…表示部  １２０、１２１、１２２、１２３…把持態様認識部  ２７０…姿勢認識部（姿勢判定部）  ２８０、２８１、２８２、２８３、２８４、２８５、２８６、２８７…起動制御部  ３００…カメラ  ３０１…レンズ
【図１Ａ】
2013022073.tif 000003
【図１Ｂ】
2013022073.tif 000004
【図２Ａ】
2013022073.tif 000005
【図２Ｂ】
2013022073.tif 000006
【図３】
2013022073.tif 000007
【図４】
2013022073.tif 000008
【図５】
2013022073.tif 000009
【図６】
2013022073.tif 000010
【図７】
2013022073.tif 000011
【図８】
2013022073.tif 000012
【図９】
2013022073.tif 000013
【図１０】
2013022073.tif 000014
【図１１Ａ】
2013022073.tif 000015
【図１１Ｂ】
2013022073.tif 000016
【図１１Ｃ】
2013022073.tif 000017
【図１２Ａ】
2013022073.tif 000018
【図１２Ｂ】
2013022073.tif 000019
【国際調査報告】
2013022073.tif 000020
2013022073.tif 000021
2013022073.tif 000022
2013022073.tif 000023
2013022073.tif 000024
2013022073.tif 000025